(57)【要約】【課題】本発明は、外部電極間の絶縁距離を確保することができるコモンモードノイズフィルタを提供することを目的とするものである。【解決手段】本発明のコモンモードノイズフィルタは、積層体１４の積層方向Ｘと実装面が平行になるように実装し、かつ第１のコイル１２の一端部１２ａと第１の内部電極１５ａ、第１の外部電極１６とを接続し、第１のコイル１２の他端部１２ｂと第３の内部電極１５ｃ、第３の外部電極１８とを接続し、第２のコイル１３の一端部１３ａと第２の内部電極１５ｂ、第２の外部電極１７とを接続し、第２のコイル１３の他端部１３ｂと第４の内部電極１５ｄ、第４の外部電極１９とを接続し、さらに、第１の外部電極１６と第１の内部電極１５ａとを接続し、第２の外部電極１６と第２の内部電極１５ｂとを接続し、第３の外部電極１８と第３の内部電極１５ｃとを接続し、第４の外部電極１９と第４の内部電極１５ｄとを接続したものである。【選択図】図２
2014027072.tif 000002
【特許請求の範囲】
【請求項１】
複数の絶縁体層と、前記絶縁体層に形成された第１のコイル、第２のコイルと、前記複数の絶縁体層と第１のコイル、第２のコイルを積層して構成された積層体と、前記複数の絶縁体層のうち一方の最外層に位置する絶縁体層の４隅のうち少なくとも２隅に貫通するように形成された第１、第２の内部電極と、前記複数の絶縁体層のうち他方の最外層に位置する絶縁体層の４隅のうち少なくとも２隅に貫通するように形成された第３、第４の内部電極と、前記積層体の一端面に形成された第１、第２の外部電極と、前記積層体の他端面に形成された第３、第４の外部電極とを備え、前記積層体の積層方向と実装面が平行になるように実装し、かつ前記第１のコイルの一端部と前記第１の内部電極または第１の外部電極とを接続し、前記第１のコイルの他端部と前記第３の内部電極または第３の外部電極とを接続し、前記第２のコイルの一端部と前記第２の内部電極または第２の外部電極とを接続し、前記第２のコイルの他端部と前記第４の内部電極または第４の外部電極とを接続し、さらに、前記第１の外部電極と前記第１の内部電極とを接続し、前記第２の外部電極と前記第２の内部電極とを接続し、前記第３の外部電極と前記第３の内部電極とを接続し、前記第４の外部電極と前記第４の内部電極とを接続したコモンモードノイズフィルタ。
【請求項２】
積層体の同一端面に形成された外部電極それぞれに他方の外部電極に向かうような突出部を形成するとともに、第１、第３の外部電極の突出部に第１のコイルの両端部を接続し、第２、第４の外部電極の突出部に第２のコイルの両端部を接続し、前記突出部、第１の外部電極と第２の外部電極の間、第３の外部電極と第４の外部電極の間、および前記第１〜第４の外部電極の一部分を覆う絶縁層を形成した請求項１記載のコモンモードノイズフィルタ。
【請求項３】
積層体の両端面に、第１の外部電極と第２の外部電極の間、第３の外部電極と第４の外部電極の間、および前記第１〜第４の外部電極の一部分を覆う絶縁層を形成し、前記第１〜第４の外部電極を覆う前記絶縁層を、実装面から離れた箇所に位置させた請求項１記載のコモンモードノイズフィルタ。
【請求項４】
内部電極が形成されていない他の絶縁体層を積層体の内部に積層し、前記他の絶縁体層の周囲の一部に他と異なる色の絶縁物を埋め込み、前記積層体の第１〜第４の外部電極が形成されていない面のうち、少なくとも１面の一部に前記異なる色が露出するようにした請求項１記載のコモンモードノイズフィルタ。
【発明の詳細な説明】
【技術分野】
【０００１】
本発明は、デジタル機器やＡＶ機器、情報通信端末等の各種電子機器に使用されるコモンモードノイズフィルタに関するものである。
【背景技術】
【０００２】
従来のこの種のコモンモードノイズフィルタは、図９、図１０に示すように、複数の絶縁体層１と第１、第２のコイル２、３とを積層して構成した積層体４を備え、第１のコイル２と第２のコイル３を磁気的に結合させ、また、第１のコイル２の両端部２ａ、２ｂと第２のコイル３の両端部３ａ、３ｂは、積層体４の下面に引き出されるとともに、それぞれ積層体４の下面の４隅に印刷またはめっきされた外部電極５ａ〜５ｄに接続されていた。
【０００３】
なお、この出願の発明に関する先行技術文献情報としては、例えば、特許文献１が知られている。
【先行技術文献】
【特許文献】
【０００４】
【特許文献１】特開２０００−３３１８３３号公報
【発明の概要】
【発明が解決しようとする課題】
【０００５】
上記した従来のコモンモードノイズフィルタにおいては、小型化された場合、外部電極５ａ〜５ｄ間の距離が短くなるため、外部電極５ａ〜５ｄの形成条件や形状にばらつきが発生し、外部電極５ａ〜５ｄ間の距離が不安定となると、絶縁距離を確保できない場合があるという課題を有していた。
【０００６】
本発明は上記従来の課題を解決するもので、外部電極間の絶縁距離を確保できるコモンモードノイズフィルタを提供することを目的とするものである。
【課題を解決するための手段】
【０００７】
上記目的を達成するために本発明は、以下の構成を有するものである。
【０００８】
本発明の請求項１に記載の発明は、複数の絶縁体層と、前記絶縁体層に形成された第１のコイル、第２のコイルと、前記複数の絶縁体層と第１のコイル、第２のコイルを積層して構成された積層体と、前記複数の絶縁体層のうち一方の最外層に位置する絶縁体層の４隅のうち少なくとも２隅に貫通するように形成された第１、第２の内部電極と、前記複数の絶縁体層のうち他方の最外層に位置する絶縁体層の４隅のうち少なくとも２隅に貫通するように形成された第３、第４の内部電極と、前記積層体の一端面に形成された第１、第２の外部電極と、前記積層体の他端面に形成された第３、第４の外部電極とを備え、前記積層体の積層方向と実装面が平行になるように実装し、かつ前記第１のコイルの一端部と前記第１の内部電極または第１の外部電極とを接続し、前記第１のコイルの他端部と前記第３の内部電極または第３の外部電極とを接続し、前記第２のコイルの一端部と前記第２の内部電極または第２の外部電極とを接続し、前記第２のコイルの他端部と前記第４の内部電極または第４の外部電極とを接続し、さらに、前記第１の外部電極と前記第１の内部電極とを接続し、前記第２の外部電極と前記第２の内部電極とを接続し、前記第３の外部電極と前記第３の内部電極とを接続し、前記第４の外部電極と前記第４の内部電極とを接続したもので、この構成によれば、第１〜第４の内部電極を絶縁体層を貫通するように形成しているため、第１〜第４の内部電極の幅が絶縁体層の厚みと等しくなり、これにより、第１〜第４の内部電極の幅を薄くて安定したものにすることができるため、第１、第２の内部電極と第３、４の内部電極との間の距離を長くかつ安定させることができ、この結果、小型化されて外部電極間の距離が短くなっても、外部電極間の絶縁距離を確保することができるという作用効果を有するものである。
【０００９】
本発明の請求項２に記載の発明は、特に、積層体の同一端面に形成された外部電極それぞれに他方の外部電極に向かうような突出部を形成するとともに、第１、第３の外部電極の突出部に第１のコイルの両端部を接続し、第２、第４の外部電極の突出部に第２のコイルの両端部を接続し、前記突出部、第１の外部電極と第２の外部電極の間、第３の外部電極と第４の外部電極の間、および前記第１〜第４の外部電極の一部分を覆う絶縁層を形成したもので、この構成によれば、外部電極は積層体の端面のみに形成しているため安定して形成でき、また、絶縁層で突出部とその周辺部を覆っているため、外部電極とコイルの両端部との接続信頼性を向上させることができるという作用効果を有するものである。
【００１０】
本発明の請求項３に記載の発明は、特に、積層体の両端面に、第１の外部電極と第２の外部電極の間、第３の外部電極と第４の外部電極の間、および前記第１〜第４の外部電極の一部分を覆う絶縁層を形成し、前記第１〜第４の外部電極を覆う前記絶縁層を、実装面から離れた箇所に位置させたもので、この構成によれば、第１〜第４の外部電極に形成される実装用はんだのフィレットの大きさを小さくすることができるため、実装面積を小さくすることができるという作用効果を有するものである。
【００１１】
本発明の請求項４に記載の発明は、特に、内部電極が形成されていない他の絶縁体層を積層体の内部に積層し、前記他の絶縁体層の周囲の一部に他と異なる色の絶縁物を埋め込み、前記積層体の第１〜第４の外部電極が形成されていない面のうち、少なくとも１面の一部に前記異なる色が露出するようにしたもので、この構成によれば、実装面の判別が容易になるという作用効果を有するものである。
【発明の効果】
【００１２】
以上のように本発明のコモンモードノイズフィルタは、第１〜第８の内部電極を絶縁体層を貫通するように形成しているため、第１〜第８の内部電極の幅が絶縁体層の厚みと等しくなり、これにより、第１〜第８の内部電極の幅を薄くて安定したものにすることができるため、第１〜第４の内部電極と第５〜第８の内部電極との間の距離を長くかつ安定させることができ、この結果、小型化されて外部電極間の距離が短くなっても、外部電極間の絶縁距離を確保することができるという優れた効果を奏するものである。
【図面の簡単な説明】
【００１３】
【図１】本発明の一実施の形態におけるコモンモードノイズフィルタの斜視図
【図２】同コモンモードノイズフィルタの分解斜視図
【図３】同コモンモードノイズフィルタの分解斜視図
【図４】同コモンモードノイズフィルタの生産途中の状態を示す斜視図
【図５】同コモンモードノイズフィルタの他の例を示す端面図
【図６】同コモンモードノイズフィルタの他の例を示す端面図
【図７】同コモンモードノイズフィルタの他の例を示す斜視図
【図８】同コモンモードノイズフィルタの他の例の絶縁体層を示す斜視図
【図９】従来のコモンモードノイズフィルタの分解斜視図
【図１０】同コモンモードノイズフィルタの斜視図
【発明を実施するための形態】
【００１４】
図１は本発明の一実施の形態におけるコモンモードノイズフィルタの斜視図、図２、図３は同コモンモードノイズフィルタの分解斜視図である。
【００１５】
本発明の一実施の形態におけるコモンモードノイズフィルタは、図１〜図３に示すように、第１〜第８の絶縁体層１１ａ〜１１ｈと、第１〜第８の絶縁体層１１ａ〜１１ｈに形成された第１のコイル１２、第２のコイル１３と、前記第１〜第８の絶縁体層１１ａ〜１１ｈと第１のコイル１２、第２のコイル１３を積層して構成された積層体１４と、前記第１〜第８の絶縁体層１１ａ〜１１ｈのうち一方の最外層に位置する第１の絶縁体層１１ａの４隅に貫通するように形成された第１、第２、第５、第６の内部電極１５ａ、１５ｂ、１５ｅ、１５ｆと、前記第１〜第８の絶縁体層１１ａ〜１１ｈのうち他方の最外層に位置する第８の絶縁体層１１ｈの４隅に貫通するように形成された第３、第４、第７、第８の内部電極１５ｃ、１５ｄ、１５ｇ、１５ｈと、前記積層体１４の一端面１４ａに形成された第１、第２の外部電極１６、１７と、前記積層体１４の他端面１４ｂに形成された第３、第４の外部電極１８、１９とを備え、前記積層体１４の積層方向Ｘと実装面が平行になるように実装される。なお、図１では第２の内部電極１５ｂ、第８の内部電極１５ｈ、図２では第３、第４の外部電極１８、１９が他の構成物によって隠れている。
【００１６】
また、前記第１のコイル１２の一端部１２ａと前記第１の内部電極１５ａを接続し、前記第１のコイル１２の他端部１２ｂと前記第３の内部電極１５ｃを接続し、前記第２のコイル１３の一端部１３ａと前記第２の内部電極１５ｂを接続し、前記第２のコイル１３の他端部１３ｂと前記第４の内部電極１５ｄを接続し、さらに、前記第１の外部電極１６と前記第１の内部電極１５ａおよび第５の内部電極１５ｅとを接続し、前記第２の外部電極１７と前記第２の内部電極１５ｂおよび第６の内部電極１５ｆとを接続し、前記第３の外部電極１８と前記第３の内部電極１５ｃおよび第７の内部電極１５ｇとを接続し、前記第４の外部電極１９と前記第４の内部電極１５ｄおよび第８の内部電極１５ｈとを接続している。なお、第１のコイル１２の一端部１２ａは第５の内部電極１５ｅと接続してもよく、第１のコイル１２の他端部１２ｂは第６の内部電極１５ｆと接続してもよく、第２のコイル１３の一端部１３ａは第７の内部電極１５ｇと接続してもよく、第２のコイル１３の他端部１３ｂは第８の内部電極１５ｈと接続してもよい。
【００１７】
また、本発明の一実施の形態におけるコモンモードノイズフィルタの詳細な構成については、図３に示す図も参照しながら以下に説明する。ここで、図３は積層方向Ｘを紙面の上下方向に回転させた図である。
【００１８】
上記構成において、第１〜第８の絶縁体層１１ａ〜１１ｈは、上から順に積層され、また、第３〜第６の絶縁体層１１ｃ〜１１ｆは、Ｃｕ−Ｚｎフェライト、ガラスセラミック等の非磁性材料により、第１、第２、第７、第８の絶縁体層１１ａ、１１ｂ、１１ｇ、１１ｈは、Ｃｕ−Ｎｉ−Ｚｎフェライトによりそれぞれシート状に構成されている。なお、第１〜第８の絶縁体層１１ａ〜１１ｈそれぞれの枚数は、図２、図３に示された枚数に限られるものではない。
【００１９】
さらに、前記第１のコイル１２は、渦巻状の第１の導体２０、第２の導体２１で構成され、前記第２のコイル１３は、渦巻状の第３の導体２２、第４の導体２３で構成されている。
【００２０】
そして、前記第１〜第４の導体２０〜２３は、それぞれ銀等の導電材料を渦巻状にめっきまたは印刷することにより形成されている。また、第１の導体２０は第４の絶縁体層１１ｄの上面、第２の導体２１は第６の絶縁体層１１ｆの上面、第３の導体２２は第３の絶縁体層１１ｃの上面、第４の導体２３は第５の絶縁体層１１ｅの上面にそれぞれ形成されている。すなわち、第１のコイル１２を構成する導体と第２のコイル１３を構成する導体が交互に積層されている。ここで、上面視にて第１の導体２０と第３の導体２２の一部を略同じ位置に配置し、巻き方向も同一方向としている。同様に、上面視にて第２の導体２１と第４の導体２３の一部を略同じ位置に配置し、巻き方向も同一方向としている。これにより、第１の導体２０と第３の導体２２とを磁気結合させ、さらに第２の導体２１と第４の導体２３とを磁気結合させて、コモンモードノイズを除去するようにしている。
【００２１】
そして、第１のコイル１２を構成する第１の導体２０と第２の導体２１は、第４の絶縁体層１１ｄ、第５の絶縁体層１１ｅに形成されたビア電極２４ａを介して接続される。また、第２のコイル１３を構成する第３の導体２２と第４の導体２３は、第３の絶縁体層１１ｃ、第４の絶縁体層１１ｄに形成されたビア電極２４ｂを介して接続される。
【００２２】
なお、第１〜第４の導体２０〜２３は渦巻状ではなく、螺旋状であってもよく、第１のコイル１２を構成する導体と第２のコイル１３を構成する導体を必ずしも交互に積層しなくてもよい。
【００２３】
また、前記第１、第２、第５、第６の内部電極１５ａ、１５ｂ、１５ｅ、１５ｆは、第１の絶縁体層１１ａの４隅において第１の絶縁体層１１ａを貫通するように形成され、第３、第４、第７、第８の内部電極１５ｃ、１５ｄ、１５ｇ、１５ｈは、第８の絶縁体層１１ｈの４隅において第８の絶縁体層１１ｈを貫通するように形成されている。すなわち、第１〜第８の内部電極１５ａ〜１５ｈの厚み（幅）は、第１の絶縁体層１１ａ、第８の絶縁体層１１ｈの厚みで規定される。
【００２４】
さらにまた、第１のコイル１２の一端部１２ａと第１の内部電極１５ａは、第２の絶縁体層１１ｂ、第３の絶縁体層１１ｃに形成されたビア電極２４ｃを介して接続され、第１のコイル１２の他端部１２ｂと第３の内部電極１５ｃは、第６の絶縁体層１１ｆ、第７の絶縁体層１１ｇに形成されたビア電極２４ｄを介して接続され、第２のコイル１３の一端部１３ａと第３の内部電極１５ｂは、第２の絶縁体層１１ｂに形成されたビア電極２４ｅを介して接続され、第２のコイル１３の他端部１３ｂと第４の内部電極１５ｄは、第５の絶縁体層１１ｅ、第６の絶縁体層１１ｆ、第７の絶縁体層１１ｇに形成されたビア電極２４ｆを介して接続されている。
【００２５】
そして、通常は複数のコモンモードノイズフィルタを構成するシート状の絶縁体層、導体を積層し、それを縦横に個片状に分割して個々のコモンモードノイズフィルタを得るようにするが、上記第１〜第８の内部電極１５ａ〜１５ｈは、図４に示すように、第１の絶縁体層１１ａ、第８の絶縁体層１１ｈにおいて、隣り合う４つの絶縁層との交差部分に貫通孔を設け、この貫通孔に導電体を充填し、最後に個片状に分割することによって形成する。
【００２６】
さらに、前記第１〜第４の外部電極１６〜１９は、積層体１４の両端面１４ａ、１４ｂに、銀等の導電体を印刷することによって形成されている。そしてこれらの表面にめっきによってニッケルめっき層を形成するとともに、このニッケルめっき層の表面にめっきによってすずやはんだ等の低融点金属めっき層を形成する。また、第１、第２の外部電極１６、１７は積層体１４の一端面１４ａに形成され、第３、第４の外部電極１８、１９は積層体１４の他端面１４ｂに形成されている。さらに、第１の外部電極１６と第３の外部電極１８が対向し、第２の外部電極１７と第４の外部電極１９が対向するように配置されている。
【００２７】
そして、第１の外部電極１６は前記第１の内部電極１５ａおよび第５の内部電極１５ｅと接続し、第２の外部電極１７は第２の内部電極１５ｂおよび第６の内部電極１５ｆと接続し、第３の外部電極１８は第３の内部電極１５ｃおよび第７の内部電極１５ｇと接続し、第４の外部電極１９は第４の内部電極１５ｄおよび第８の内部電極１５ｈと接続している。
【００２８】
すなわち、第１のコイル１２は、第１の内部電極１５ａ、第３の内部電極１５ｃを介して第１の外部電極１６および第３の外部電極１８に接続され、第２のコイル１３は、第２の内部電極１５ｂ、第４の内部電極１５ｄを介して第２の外部電極１７および第４の外部電極１９に接続される。なお、第１のコイル１２を第１の外部電極１６および第３の外部電極１８に直接接続し、第２のコイル１３を第２の外部電極１７および第４の外部電極１９に直接接続してもよい。
【００２９】
上記したように本発明の一実施の形態におけるコモンモードノイズフィルタにおいては、第１〜第８の内部電極１５ａ〜１５ｈを第１、第８の絶縁体層１１ａ、１１ｈを貫通するように形成しているため、第１〜第８の内部電極１５ａ〜１５ｈの幅が第１、第８の絶縁体層１１ａ、１１ｈの厚みと等しくなり、これにより、第１〜第８の内部電極１５ａ〜１５ｈの幅を薄くて安定したものにすることができ、また、第１、第８の絶縁体層１１ａ、１１ｈの厚みを規定すれば、第１〜第８の内部電極１５ａ〜１５ｈの幅、外部電極間距離が自動的に決まる。この結果、積層方向Ｘの第１の外部電極１６と第３の外部電極１８との間、第２の外部電極１７と第３の外部電極１９との間の距離を安定させることができ、これにより、小型化されて外部電極間の距離が短くなっても、積層方向Ｘでの第１、第２の外部電極１６、１７と第３、第４の外部電極１８、１９間の距離が安定するため、絶縁距離を確保することができるという効果が得られるものである。
【００３０】
さらに、第１〜第８の内部電極１５ａ〜１５ｈのうち４つを実装面に接触させることができるため、積層体１４と実装面との接触面積を安定して確保でき、これにより、安定した実装性を確保できる。
【００３１】
また、第１〜第４の外部電極１６〜１９は、積層体１４の端面１４ａ、１４ｂから積層体の上下面にかけて塗布するわけではなく、積層体１４の一面のみに印刷で形成しているため、第１〜第４の外部電極１６〜１９の形成位置が安定し、これにより、積層方向Ｘと直交する方向での第１の外部電極１６と第２の外部電極１７との間の絶縁距離、第３の外部電極１８と第４の外部電極１９との間の絶縁距離を確保することが可能となる。そして、異種材料を積層し焼結させた場合でも、積層体１４の端面１４ａ、１４ｂには積層界面が位置せず、１枚の絶縁体層になっているため、焼成収縮時の変形差が発生し界面近傍での耐湿信頼性の低下を防止できる。また、個片化する前に第１〜第８の内部電極１５ａ〜１５ｈ、第１〜第４の外部電極１６〜１９を形成できるため、従来のように個片化した後に外部電極を塗布あるいは印刷する工程が不要となり、コスト削減を実現できる。
【００３２】
そしてまた、積層体１４の一端面１４ａにおいて第１、第２の外部電極１６、１７の間にガラス等からなる保護絶縁層を塗布形成してもよい。これにより、より確実に第１の外部電極１６と第２の外部電極１７の間の絶縁性を確保できる。このとき、絶縁層は第１、第２の外部電極１６、１７の一部を覆うようにする。なお、積層体１４の他端面１４ｂについても同様である。
【００３３】
そして、本発明のコモンモードノイズフィルタは、積層方向Ｘと平行でその中央部を通る直線に対して線対称になっているため、方向が１８０度回転しても、裏表が逆になっても実装できる。
【００３４】
なお、図５に示すように、積層体１４の一端面１４ａにおいて第１の外部電極１６、第２の外部電極１７それぞれに他方の外部電極に向かうような突出部２５を形成してもよい。そして、第１の外部電極１６の突出部２５には第１のコイル１２の一端部１２ａを接続し、第２の外部電極１７の突出部２５には第２のコイルの１３の一端部１３ａを接続する。
【００３５】
この構成により、第１、第２の外部電極１６、１７は積層体１４の一端面１４ａのみに印刷で形成しているため安定して形成でき、これにより、第１、第２の外部電極１６、１７とコイル１２、１３の一端部１２ａ、１３ａとの接続信頼性を向上させることができる。すなわち、第１〜第８の内部電極１５ａ〜１５ｈは、貫通孔に導電体を充填した後に個片状に分割して形成するため、分割刃によって導電物が引っ張られて内部導体と積層体１４の間に隙間が生じて、そこから内部電極を介してコイル１２、１３へ湿気等が浸入してコイル１２、１３の信頼性が劣化する可能性があるが、第１、第２の外部電極１６、１７は第１〜第８の内部電極１５ａ〜１５ｈと異なり印刷して形成しているため、隙間が生じることはなく、これにより、第１、第２の外部電極１６、１７に直接コイル１２、１３の一端部１２ａ、１３ａを接続すれば、コイル１２、１３へ湿気等が浸入してコイル１２、１３の信頼性が劣化する可能性を低減できる。
【００３６】
さらに、第１の外部電極１６と第２の外部電極１７の間、突出部２５、および第１、第２の外部電極１６、１７の一部を覆うようにガラス等からなる絶縁層２６を形成すれば、より確実に湿気等の浸入を防止できる。
【００３７】
また、図６に示すように、積層体１４の一端面１４ａにおいて、第１の外部電極１６と第２の外部電極１７の間、および第１、第２の外部電極１６、１７の一部を覆うようにガラス等からなる絶縁層２６を形成し、第１、第２の外部電極１６、１７を覆う絶縁層２６を実装面から離れた箇所に位置させれば、第１、第２の外部電極１６、１７の絶縁層２６で覆われた部分には実装用はんだが付着しないため、第１、第２の外部電極１６、１７に形成される実装用はんだフィレットの大きさを小さくすることができ、これにより、実装面積を小さくすることができる。このとき、第１、第２の外部電極１６、１７の互いに対向する方向における幅の全体を絶縁層２６で覆えば、確実に実装面積を小さくすることができる。そして、裏表が逆になっても実装できるように、図６では、絶縁層２６が十字状になっている。
【００３８】
なお、図５、図６は、積層体１４の一端面１４ａにおける第１の外部電極１６と第２の外部電極１７について説明したが、積層体１４の他端面１４ｂにおける第３の外部電極１８と第４の外部電極１９についても同様である。
【００３９】
そしてさらに、図７に示すように、積層体１４の第１〜第４の外部電極１６〜１９が形成されていない面のうち、対向する２面の一部に他の部分と異なる色で着色された着色部２７を形成してもよい。この構成により、実装面の判別が容易になる。
【００４０】
このとき、図８に示すように、内部電極が形成されていない他の絶縁体層２８を設け、この他の絶縁体層２８の周囲の一部を他と異なる色の絶縁物２９で埋める。そして、この他の絶縁体層２８を積層体１４の内部に積層し、積層体１４の第１〜第４の外部電極１６〜１９が形成されていない面のうち、対向する２面の一部に前記異なる色が露出するようにする。このように他の絶縁体層２８の一部に他と異なる色の絶縁物２９を形成すれば、他の絶縁体層２８を着色するための工程を省くことができ、また、他の絶縁体層２８を積層したことによる特性の影響も抑えることができる。さらに、他と異なる色の絶縁物２９を積層体１４の形成と同時に一括して設けることができる。
【００４１】
なお、図７では、実装面に着色したが、実装面と異なる面に着色してもよく、４面のうち１面のみに着色してもよい。また、他と異なる色の絶縁物２９を積層体１４の１面に複数形成してもよい。
【００４２】
さらに、上記した本発明の一実施の形態におけるコモンモードノイズフィルタにおいては、第１の絶縁体層１１ａ、第８の絶縁体層１１ｈの４隅に貫通するように内部電極を形成したものについて説明したが、第１の絶縁体層１１ａ、第８の絶縁体層１１ｈの４隅のうち２つを貫通させて内部電極を形成してもよい。このとき、第１〜第４の内部電極１５ａ〜１５ｄのみが形成され、第５〜第８の内部電極１５ｅ〜１５ｈは形成されず、内部電極は４つとなる。そして、この場合も、第１〜第４の内部電極１５ａ〜１５ｄを、実装面に接触させるように形成すれば、積層体１４と実装面との接触面積を安定して確保できるため、安定した実装性を確保できる。
【産業上の利用可能性】
【００４３】
本発明に係るコモンモードノイズフィルタは、外部電極間の絶縁距離を確保することができるという効果を有するものであり、特にデジタル機器やＡＶ機器、情報通信端末等の各種電子機器のノイズ対策として使用されるコモンモードノイズフィルタ等において有用となるものである。
【符号の説明】
【００４４】
１１ａ〜１１ｈ  第１〜第８の絶縁体層
１２  第１のコイル
１２ａ  第１のコイルの一端部
１２ｂ  第１のコイルの他端部
１３  第２のコイル
１３ａ  第２のコイルの一端部
１３ｂ  第２のコイルの他端部
１４  積層体
１４ａ  積層体の一端面
１４ｂ  積層体の他端面
１５ａ〜１５ｈ  第１〜第８の内部電極
１６〜１９  第１〜第４の外部電極
２５  突出部
２６  絶縁層
２７  着色部
２８  他の絶縁体層
【図１】
2014027072.tif 000003
【図２】
2014027072.tif 000004
【図３】
2014027072.tif 000005
【図４】
2014027072.tif 000006
【図５】
2014027072.tif 000007
【図６】
2014027072.tif 000008
【図７】
2014027072.tif 000009
【図８】
2014027072.tif 000010
【図９】
2014027072.tif 000011
【図１０】
2014027072.tif 000012